(57)【特許請求の範囲】
【請求項１】
湿度により抵抗値が変化する結露センサーと、前記結露センサーの出力信号を検出し演算する演算回路と、一定周期を発生するタイマー回路Ａと、測定回数をカウントするカウンター回路と、電源投入を検出する電源検出回路と、前記電源検出回路からの出力信号により規定時間動作するタイマー回路Ｂと、前記演算回路からの出力信号により結露状態を表示する表示部とを備え、
前記電源検出回路により電源投入時を検出し、前記タイマー回路Ｂが規定時間動作中に、前記タイマー回路Ａより発生する一定周期毎に前記結露センサーからの出力信号の変化量を前記演算回路で検出し、規定以上の出力信号変化量が規定回数連続したことを前記カウンター回路が検出した場合に、前記表示部に結露表示するとともに、
規定時間以降は、前記結露センサーからの出力信号が所定値以上になった場合に前記表示部に結露表示をすることを特徴とした結露検出装置。
【発明の詳細な説明】
【０００１】
【産業上の利用分野】
本発明は結露検出装置に関するものである。
【０００２】
【従来の技術】
図４は従来の結露検出回路の構成を示すものである。図４において、１１は結露センサーである。１２は結露センサーの抵抗値を電圧に変換する変換回路で、１４はＡ／Ｄ変換回路、１５は一定時間を作るタイマー回路、１６は測定回数をカウントするカウンター回路、１７は演算回路、１８は結露状態を表示する表示部、１３はＡ／Ｄ変換回路１４、タイマー回路１５、カウンター回路１６、演算回路１７を備えたマイコンである。図２の特性Ａは結露センサーの抵抗値の変化を示す特性図、図３は図２中のａの部分の拡大図である。
【０００３】
以上のように構成された結露検出装置について、図面を用いてその動作を説明する。まず、結露センサー１１の抵抗値の変化を変換回路１２で電圧の変化に変換し、Ａ／Ｄ変換回路１４で変換回路１２の出力電圧をデジタルデータに変換する。次に、演算回路１７でデジタルデータの変化量をタイマー回路１５の一定周期Ｔ３ごとにモニターし、規定以上の電圧変化量ΔＶが連続した回数をカウンター回路１６にてカウントする。そして、カウンター回路１６のカウント数が規定回数以上連続した場合を結露と判別し、その旨を表示部１８に表示していた。
【０００４】
【発明が解決しようとする課題】
しかしながら上記の従来の構成では、入力電圧の変化量を一定周期ごとにモニターし、規定以上の電圧変化量が規定回数以上連続した場合を結露と判別しているので、図２の特性Ａに示すように実際に結露する場合（例えば、温度の低い場所から温度の高い場所へ磁気記録再生装置を移動した場合）は問題なく結露と判別できる。しかし、図２の特性Ｂに示すように、例えば窓際に磁気記録再生装置を設置していた場合、通常使用時に突然雨が降りだし、湿度が上がり実際の結露電圧に達しないのに、規定以上の電圧変化量が規定回数以上連続した時、結露と誤判別し、磁気記録再生装置を長時間使用できない恐れがあるという問題点を有していた。
【０００５】
本発明は上記従来の問題点を解決するもので、誤動作なく短時間でかつ確実な結露検出装置を提供することを目的とする。
【０００６】
【課題を解決するための手段】
この目的を達成するために本発明は、湿度により抵抗値が変化する結露センサーと、結露センサーの出力信号を検出し演算する演算回路と、一定周期を発生するタイマー回路Ａと、測定回数をカウントするカウンターと、演算回路からの出力信号により結露状態を表示する表示部と、電源投入より規定時間結露センサーを動作させるタイマー回路Ｂとを備え、電源投入から規定時間におけるタイマー回路Ｂの動作中に、タイマー回路Ａが一定周期ごとに結露センサーからの出力信号の変化量を発生し、演算回路で検出し規定以上の出力信号変化量が規定回数連続したことをカウンター回路が検出した場合、表示部に結露表示するものである。
【０００７】
【作用】
この構成によって、電源投入から規定時間のみ、演算回路で一定周期ごとに変換回路からの電圧の変化量をモニターし、規定以上の電圧変化量が規定回数連続した場合を結露と判別することで、誤動作なく短時間でかつ確実な結露検知を行うことができる。
【０００８】
【実施例】
以下本発明の一実施例について、図面を参照しながら説明する。
【０００９】
図１は本発明の一実施例における結露検出装置を示すブロック図、図２は結露センサーの抵抗値変化を示す特性図である。
【００１０】
図１において、１は結露センサーである。２は結露センサー１の抵抗値を電圧に変換する変換回路で、４はＡ／Ｄ変換回路、５は一定時間を作るタイマー回路Ａ、６は測定回数をカウントするカウンター回路、７は演算回路、８は電源検出回路、９は電源投入より規定時間動作するタイマー回路Ｂ、１０は結露状態を表示する表示部、３はＡ／Ｄ変換回路４、タイマー回路Ａ５、カウンター回路６、演算回路７、電源検出回路８、タイマー回路Ｂ９を備えたマイコンである。
【００１１】
以上のように構成された結露検出装置について、磁気記録再生装置に使用した例に基づいて、その動作を説明する。
【００１２】
まず、電源検出回路８で電源投入を検出し、タイマー回路Ｂ９が電源投入から規定時間Ｔ４の時間だけ動作する。結露センサー１の抵抗値の変化を変換回路２で電圧の変化に変換し、Ａ／Ｄ変換回路４で変換回路２の出力電圧をデジタルデータに変換する。次に、演算回路７でデジタルデータの変化量をタイマー回路Ａ５の一定周期Ｔ３ごとにモニターし、タイマー回路Ｂ９が動作中、規定以上の電圧変化量ΔＶが連続した回数をカウンター回路６にてカウントする。そして、タイマー回路Ｂ９が動作中カウンター回路６のカウント数が規定回数以上、本実施例では３回以上連続した場合を結露と判別し、その旨を表示部１０に表示する。また、規定時間Ｔ４を越えた領域では、タイマー回路Ａ５、カウンタ回路６、電源検出回路８、タイマー回路Ｂ９が動作せず、結露センサーが結露した時の電圧Ｖに達したときに、その旨を表示部１０に表示する。
【００１３】
本実施例による結露検出装置は、電源投入から規定時間Ｔ４は規定の電圧変化量ΔＶをモニターすることで結露を検出し、また、電源投入から規定時間Ｔ４以降は実際に結露センサーが結露した時の電圧Ｖで、結露を検知することにより、誤動作なく確実な結露検知を行うことができる点で優れた効果が得られる。
【００１４】
以上のように本実施例によれば、電源投入時に結露が発生しやすい規定時間Ｔ４内の状態においては、演算回路で一定周期Ｔ３毎に抵抗値の変化を変換した電圧変化量をモニターし、規定の電圧変化量ΔＶが規定回数３回以上連続した場合を結露と判別し、規定時間Ｔ４以降は結露センサーが実際に結露する電圧Ｖ以上で結露と判別するため、図２の特性Ｂのような電圧変化においても誤動作がなく確実な結露検知が可能となる。
【００１５】
【発明の効果】
以上のように本発明は、結露が発生しやすい状態である電源投入時から規定時間内においては、演算回路で一定周期ごとに前記変換回路からの電圧の変化量をモニターし、規定以上の電圧変化量が規定回数連続した場合を結露状態と判別する。また、規定時間以降は、結露センサーが実際に結露する電圧以上で結露状態と判別するため、誤動作なく確実にできる優れた結露検出装置を実現できるものである。
【図面の簡単な説明】
【図１】本発明の一実施例における結露検出装置を示すブロック図
【図２】結露センサーの抵抗値変化を示す特性図
【図３】結露センサーの抵抗値変化を示す特性図
【図４】従来の結露検出装置のブロック図
【符号の説明】
１    結露センサー
２    変換回路
３    マイコン
４    Ａ／Ｄ変換回路
５    タイマー回路Ａ
６    カウンター回路
７    演算回路
８ 電源検出回路
９ タイマー回路Ｂ
１０  表示部
【図１】
0003603339.tif 000002
【図２】
0003603339.tif 000003
【図３】
0003603339.tif 000004
【図４】
0003603339.tif 000005